(57)【要約】  複数の物品を収容するカートン。カートンは、カートンの内側の周りに少なくとも部分的に延在するパネルを有する。パネルは、トップパネルと、ボトムパネルと、第１のサイドパネルと、第２のサイドパネルとを含む。少なくとも２つの端部フラップが、複数のパネルのそれぞれのパネルにそれぞれ折り曲げ可能に取り付けられ、端部フラップは、互いに重なり合うことによってカートンの閉鎖端部を少なくとも部分的に形成する。カートンは、カートンを把持して運搬するためにカートンの閉鎖端部にハンドルを含む。カートンは、ハンドルを補強するためのパネルの少なくとも１つに取り付けられる補強インサートを備える。
2012500754.tif 000002
【特許請求の範囲】
【請求項１】
複数の物品を収容するためのカートンであって、該カートンは、
該カートンの内側の周りに少なくとも部分的に延在する複数のパネルであって、該複数のパネルはトップパネルと、ボトムパネルと、第１のサイドパネルと、第２のサイドパネルとを含む、複数のパネルと、
該複数のパネルのそれぞれのパネルにそれぞれ折り曲げ可能に取り付けられ、フラップが互いに重なり合うことによって該カートンの閉鎖端部を少なくとも部分的に形成する少なくとも２つの端部フラップであって、該少なくとも２つの端部フラップは該トップパネルに折り曲げ可能に接続されるトップ端部フラップを含む、少なくとも２つの端部フラップと、
中央パネルと、該中央パネルに折り曲げ可能に接続される補強端部フラップとを備える補強インサートであって、該中央パネルは該トップパネルと向かい合わせに接触し、該補強端部フラップは該トップ端部フラップと向かい合わせに接触する、補強インサートと、
該カートン内の該物品へのアクセスを可能にするディスペンサーであって、該ディスペンサーは該トップパネルの少なくとも一部と該中央パネルの少なくとも一部とを含む、ディスペンサーと、
を備える、複数の物品を収容するカートン。
【請求項２】
該ディスペンサーは、第１のディスペンサーフラップと第２のディスペンサーフラップとを備え、該第１のディスペンサーフラップと該第２のディスペンサーフラップは、該トップパネルに折り曲げ可能に接続される、請求項１に記載のカートン。
【請求項３】
該第１のディスペンサーフラップと該第２のディスペンサーフラップのそれぞれは、該トップパネルの少なくとも一部と該中央パネルの少なくとも一部とをそれぞれ備える、請求項２に記載のカートン。
【請求項４】
該ディスペンサーは、該トップパネルの第１の引き裂き線と該中央パネルの第２の引き裂き線とを備える、請求項３に記載のカートン。
【請求項５】
該第１のディスペンサーフラップと該第２のディスペンサーフラップはそれぞれ、材料の内側層と材料の外側層とを備え、該第１のディスペンサーフラップと該第２のディスペンサーフラップの該材料の内側層は、該中央パネルの少なくとも一部を備え、該第１のディスペンサーフラップと該第２のディスペンサーフラップの該材料の外側層は、該トップパネルの少なくとも一部を備える、請求項３に記載のカートン。
【請求項６】
該トップパネルは、少なくとも１つの保持タブを備え、該第１のディスペンサーフラップと該第２のディスペンサーフラップは、閉鎖位置と開放位置との間で位置決め可能であることで該容器内の物品へのアクセスを可能にし、該少なくとも１つの保持タブは、該ディスペンサーフラップを該閉鎖位置に保持するためのものである、請求項５に記載のカートン。
【請求項７】
該少なくとも１つの保持タブは２つの保持タブを備え、それぞれの保持タブは該第１のディスペンサーパネルと該第２のディスペンサーパネルの少なくとも一方を保持するように位置決めされる、請求項６に記載のカートン。
【請求項８】
該第１のディスペンサーフラップと該第２のディスペンサーフラップのそれぞれの該内側層は、該第１のディスペンサーフラップと該第２のディスペンサーフラップのそれぞれの該外側層の外周を越えて延在する保持部分を備え、該保持部分のそれぞれは、該第１のディスペンサーフラップと該第２のディスペンサーフラップのそれぞれを該閉鎖位置に保持するように該少なくとも１つの保持タブと係合するために位置決めされる、請求項６に記載のカートン。
【請求項９】
該カートンは、該カートンを把持して運搬するためのハンドルを備え、該ハンドルは、該トップ端部フラップに折り曲げ可能に接続されるハンドルフラップを備え、該補強端部フラップは、該ハンドルフラップに隣接する、請求項１に記載のカートン。
【請求項１０】
該少なくとも２つの端部フラップは、該第１のサイドパネルに折り曲げ可能に接続される第１のサイド端部フラップと、該第２のサイドパネルに折り曲げ可能に接続される第２のサイド端部フラップとを備え、該ハンドルは、該第１のサイド端部フラップの第１のハンドル切り抜き部と、該第２のサイド端部フラップの第２のハンドル切り抜き部とを備え、該トップ端部フラップと、該第１のサイド端部フラップと、該第２のサイド端部フラップは、該カートンの該閉鎖端部を形成するように協働する、請求項９に記載のカートン。
【請求項１１】
該ハンドルフラップは、該カートンを把持するように該ハンドルが作動されると、該第１のハンドル切り抜き部と該第２のハンドル切り抜き部に挿入されるように位置決めされる、請求項１０に記載のカートン。
【請求項１２】
該補強端部フラップは、該サイド端部フラップの外面と向かい合わせに接触し、該第１のハンドル切り抜き部と該第２のハンドル切り抜き部に隣接して位置決めされる、請求項１１に記載のカートン。
【請求項１３】
該補強端部フラップは、該カートンが該ハンドルに隣接する３つの材料の層を備えるように該トップ端部フラップの内面と向かい合わせに接触し、該３つの材料の層は、該トップ端部フラップと、該補強端部フラップと、該第１のサイド端部フラップと、該第２のサイド端部フラップとの少なくとも一部を備える、請求項１２に記載のカートン。
【請求項１４】
被補強特性機能部を有するカートンを形成するためのカートンブランクとインサートブランクの組み合わせであって、
該カートンブランクは、
トップパネルと、ボトムパネルと、第１のサイドパネルと、第２のサイドパネルとを含む複数のパネルと、
該カートンブランクから形成されたカートンの端部を少なくとも部分的に閉じるように重なり合うために該複数のパネルのそれぞれのパネルにそれぞれ折り曲げ可能に取り付けられる少なくとも２つの端部フラップであって、該少なくとも２つの端部フラップは該トップパネルに折り曲げ可能に接続されるトップ端部フラップを含む、少なくとも２つの端部フラップと、
を備え、
該インサートブランクは、
中央パネルと、該中央パネルに折り曲げ可能に接続される補強端部フラップとを備え、該中央パネルは該トップパネルと向かい合わせに接触し、該補強端部フラップは該トップ端部フラップと向かい合わせに接触し、
ディスペンサー特性機能部は、該トップパネルの少なくとも一部と該中央パネルの少なくとも一部とを含む、被補強特性機能部を有するカートンを形成するためのカートンブランクとインサートブランクの組み合わせ。
【請求項１５】
該ディスペンサー特性機能部は、第１のディスペンサーフラップと第２のディスペンサーフラップとを備え、該第１のディスペンサーフラップと該第２のディスペンサーフラップは、該トップパネルに折り曲げ可能に接続される、請求項１４に記載の組み合わせ。
【請求項１６】
該第１のディスペンサーフラップと該第２のディスペンサーフラップのそれぞれは、該トップパネルの少なくとも一部と該中央パネルの少なくとも一部とをそれぞれ備える、請求項１５に記載の組み合わせ。
【請求項１７】
該ディスペンサー特性機能部は、該トップパネルの第１の引き裂き線と該中央パネルの第２の引き裂き線とを備える、請求項１６に記載の組み合わせ。
【請求項１８】
該第１のディスペンサーフラップと該第２のディスペンサーフラップはそれぞれ、材料の内側層と材料の外側層とを備え、該第１のディスペンサーフラップと該第２のディスペンサーフラップの該材料の内側層は、該中央パネルの少なくとも一部を備え、該第１のディスペンサーフラップと該第２のディスペンサーフラップの該材料の外側層は、該トップパネルの少なくとも一部を備える、請求項１６に記載の組み合わせ。
【請求項１９】
該トップパネルは、該第１のディスペンサーフラップと該第２のディスペンサーフラップの少なくとも一方の該材料の外側層に当接する該トップパネルの少なくとも１つの保持タブを備え、該第１のディスペンサーフラップと該第２のディスペンサーフラップの該少なくとも一方の該材料の内側層は、該少なくとも１つの保持タブと向かい合わせに接触する少なくとも１つの保持部分を備える、請求項１８に記載の組み合わせ。
【請求項２０】
該少なくとも１つの保持タブは２つの保持タブを備え、それぞれの保持タブは該第１のディスペンサーフラップと該第２のディスペンサーフラップの該外側層に当接する、請求項１９に記載の組み合わせ。
【請求項２１】
該少なくとも１つの保持部分は、該第１のディスペンサーフラップの該内側層の一部を含む第１の保持部分と、該第２のディスペンサーフラップの該内側層の一部を含む第２の保持部分とを含む、請求項１９に記載の組み合わせ。
【請求項２２】
該トップ端部フラップは、該トップ端部フラップに折り曲げ可能に接続されるハンドルフラップを備え、該補強端部フラップは、該ハンドルフラップに隣接する、請求項１４に記載の組み合わせ。
【請求項２３】
該少なくとも２つの端部フラップは、該第１のサイドパネルに折り曲げ可能に接続される第１のサイド端部フラップと、該第２のサイドパネルに折り曲げ可能に接続される第２のサイド端部フラップとを備え、該第１のサイド端部フラップは第１のハンドル切り抜き部を備え、該第２のサイド端部フラップは第２のハンドル切欠部を備え、該第１のハンドル切り抜き部と、該第２のハンドル切り抜き部と、該ハンドルフラップは、該カートンブランクから形成される該カートンのハンドルを形成するハンドル特性機能部である、請求項２２に記載の組み合わせ。
【請求項２４】
該トップ端部フラップと、該補強端部フラップと、該第１のサイド端部フラップと、該第２のサイド端部フラップと、該第１のハンドル切り抜き部と、該第２のハンドル切り抜き部は、該カートンブランクと該インサートブランクの組み合わせから形成される該カートンが該ハンドルに隣接する３つの材料の層を備えるように位置決めされ、該３つの材料の層は、該トップ端部フラップと、該補強端部フラップと、該第１のサイド端部フラップと、該第２のサイド端部フラップとの少なくとも一部を備える、請求項２３に記載の組み合わせ。
【請求項２５】
該ハンドルフラップは、該ハンドルフラップを該トップ端部フラップに接続するハンドル折り線を備え、該補強端部フラップは、該中央パネルから該ハンドル折り線まで延在する、請求項２２に記載の組み合わせ。
【請求項２６】
カートンを形成する方法は、
カートンブランクを得ることであって、該カートンブランクは、
トップパネルと、ボトムパネルと、第１のサイドパネルと、第２のサイドパネルとを含む複数のパネルと、
該複数のパネルのそれぞれのパネルにそれぞれ折り曲げ可能に取り付けられる少なくとも２つの端部フラップであって、該少なくとも２つの端部フラップは該トップパネルに折り曲げ可能に接続されるトップ端部フラップを含む、少なくとも２つの端部フラップと、
該トップパネルの少なくとも一部を含むディスペンサー特性機能部と、
を備える、カートンブランクを得ることと、
インサートブランクを得ることであって、該インサートブランクは、
中央パネルと、該中央パネルに折り曲げ可能に接続される補強端部フラップとを備え、該ディスペンサー特性機能部が該中央パネルの少なくとも一部を含む、
インサートブランクを得ることと、
該中央パネルが該トップパネルの少なくとも一部に重なって該補強端部フラップが該トップ端部フラップの少なくとも一部に重なるために、該カートンブランクに対して該インサートブランクを位置決めすることと、
該インサートブランクを該カートンブランクに取り付けることと、
該取り付けられたインサートブランクと該カートンブランクをカートンに形成することと、
を備える、カートンを形成する方法。
【請求項２７】
該ディスペンサー特性機能部は、該トップパネルの第１の引き裂き線と該中央パネルの第２の引き裂き線とを備える、請求項２６に記載の方法。
【請求項２８】
該第１の引き裂き線と該第２の引き裂き線に沿って引き裂くことによって少なくとも１つのディスペンサーフラップを開くことをさらに備え、該少なくとも１つのディスペンサーフラップは、該トップフラップの少なくとも一部と該中央パネルの少なくとも一部とを備える、請求項２７に記載の方法。
【請求項２９】
該少なくとも１つのディスペンサーフラップは、第１のディスペンサーフラップと第２のディスペンサーフラップとを備え、該少なくとも１つのディスペンサーフラップを開くことは、それぞれの折り線に関して該第１のディスペンサーフラップと該第２のディスペンサーフラップを枢動させることをさらに備える、請求項２８に記載の方法。
【請求項３０】
該少なくとも１つのディスペンサーフラップを閉じることをさらに備え、該少なくとも１つのディスペンサーフラップは、少なくとも１つの保持部分を有する内側層と外側層とを備え、該トップパネルは、該ディスペンサー特性機能部に近接して位置する保持タブを備え、該保持部分は、該少なくとも１つのディスペンサーパネルが閉じられると、該少なくとも１つのディスペンサーパネルを閉鎖位置に保持するように該保持タブと係合する、請求項２８に記載の方法。
【請求項３１】
該カートンのハンドルを作動させることをさらに備え、該ハンドルは、該トップ端部フラップに折り曲げ可能に接続されるハンドルフラップを含み、該補強端部フラップは、該ハンドルフラップに隣接する、請求項２６に記載の方法。
【請求項３２】
該少なくとも２つの端部フラップは、第１のサイド端部フラップと第２のサイド端部フラップとをさらに含み、該第１のサイド端部フラップは第１のハンドル切り抜き部を備え、該第２のサイド端部フラップは第２のハンドル切り抜き部を備え、該インサートブランクと該カートンブランクをカートンに形成することは、該トップ端部フラップと、該第１のサイド端部フラップと、該第２のサイド端部フラップとを重ね合わせて該カートンの少なくとも部分的に閉じられた端部を形成することと、該ハンドルが作動されると該ハンドルフラップが該第１のハンドル切り抜き部と該第２のハンドル切り抜き部に挿入されるために、該第１のハンドル切り抜き部と該第２のハンドル切り抜き部を該ハンドルフラップと位置合わせすることとを備える、請求項３１に記載の方法。
【請求項３３】
該カートンブランクに対して該インサートブランクを位置決めすることは、該補強フラップを該トップ端部フラップの内面の少なくとも一部と向かい合わせに接触させるように設置することを備え、該トップ端部フラップと、該第１のサイド端部フラップと、該第２のサイド端部フラップとを重ね合わせることは、該補強端部フラップを該第１のサイド端部フラップと該第２のサイド端部フラップのそれぞれの外面の少なくとも一部と向かい合わせに接触させるように設置することを備える、請求項３２に記載の方法。
【発明の詳細な説明】
【技術分野】
【０００１】
本開示は、概して、飲料容器又は他のタイプの物品を保持して提供するカートンに関する。より詳細には、本開示は、強化インサートを有するカートンに関する。
【背景技術】
【０００２】
［関連出願の相互参照］
本願は、２００８年８月２２日付けで出願された米国仮特許出願第６１／１８９，７４３号に対し優先権を主張し、上記に述べた仮特許出願の全内容は、ここに参照されることで援用される。
【発明の概要】
【０００３】
概して、本開示の一態様は、複数の物品を保持するカートンを対象とする。カートンは、該カートンの内側の周りに少なくとも部分的に延在する複数のパネルを備える。複数のパネルは、トップパネルと、ボトムパネルと、第１のサイドパネルと、第２のサイドパネルとを備える。少なくとも２つの端部フラップが、該複数のパネルのそれぞれのパネルにそれぞれ折り曲げ可能に取り付けられる。端部フラップは、互いに重なり合うことによってカートンの閉鎖端部を少なくとも部分的に形成する。少なくとも２つの端部フラップは、トップパネルに折り曲げ可能に接続されるトップ端部フラップを備える。補強インサートが、中央パネルと該中央パネルに折り曲げ可能に接続される補強端部フラップとを備える。中央パネルはトップパネルと向かい合わせに接触し、補強端部フラップはトップ端部フラップと向かい合わせに接触する。ディスペンサーがカートン内の物品へのアクセスを可能にする。ディスペンサーは、トップパネルの少なくとも一部と中央パネルの少なくとも一部とを備える。
【０００４】
別の一態様では、本開示は、概して、被補強特性機能部を有するカートンを形成するためのカートンブランクやインサートブランクの組み合わせを対象とする。カートンブランクは、トップパネルと、ボトムパネルと、第１のサイドパネルと、第２のサイドパネルとを含む複数のパネルを備える。少なくとも２つの端部フラップが、カートンブランクから形成されたカートンの端部を少なくとも部分的に閉じるように重なり合うために、該複数のパネルのそれぞれのパネルにそれぞれ折り曲げ可能に取り付けられる。前記少なくとも２つの端部フラップは、トップパネルに折り曲げ可能に接続されるトップ端部フラップを備える。インサートブランクは、中央パネルと、該中央パネルに折り曲げ可能に接続される補強端部フラップとを備える。中央パネルは該トップパネルと向かい合わせに接触し、補強端部フラップは該トップ端部フラップと向かい合わせに接触する。ディスペンサー特性機能部が、トップパネルの少なくとも一部と中央パネルの少なくとも一部とを備える。
【０００５】
別の態様では、本開示は、概して、カートンを形成する方法を対象とする。該方法は、カートンブランクを得ることと、インサートブランクを得ることと、カートンブランクに対してインサートブランクを位置決めすることと、インサートブランクをカートンブランクに取り付けることと、取り付けられたインサートブランクとカートンブランクをカートンに形成することとを含む。カートンブランクは、トップパネルと、ボトムパネルと、第１のサイドパネルと、第２のサイドパネルとを含む複数のパネルを備える。少なくとも２つの端部フラップが、複数のパネルのそれぞれのパネルにそれぞれ折り曲げ可能に取り付けられる。該少なくとも２つの端部フラップは、トップパネルに折り曲げ可能に接続されるトップ端部フラップを備える。ディスペンサー特性機能部が、トップパネルの少なくとも一部を備える。インサートブランクは、中央パネルと該中央パネルに折り曲げ可能に接続される補強端部フラップとを備える。ディスペンサー特性機能部は中央パネルの少なくとも一部を含む。インサートブランクがカートンブランクに対して位置決めされるとき、中央パネルはトップパネルの少なくとも一部に重なり、補強フラップはトップ端部フラップの少なくとも一部に重なる。
【０００６】
別の態様では、本開示は、概して、複数の容器を保持するためのカートンを対象とする。カートンは、トップパネルと該トップパネルに折り曲げ可能に接続されるトップ端部フラップとを備える。補強インサートが、中央パネルと該中央パネルに折り曲げ可能に接続される補強端部フラップとを備える。中央パネルはトップパネルと向かい合わせに接触し、補強端部フラップはトップ端部フラップと向かい合わせに接触する。
【０００７】
別の態様では、本開示は、概して、被補強特性機能部を有するカートンを形成するためのカートンブランクとインサートブランクの組み合わせを対象とする。カートンブランクは、トップパネルと該トップパネルに折り曲げ可能に接続されるトップ端部フラップとを備える。インサートブランクは、中央パネルと該中央パネルに折り曲げ可能に接続される補強端部フラップとを備える。中央パネルはトップパネルと向かい合わせに接触し、補強端部フラップはトップ端部フラップと向かい合わせに接触する。
【０００８】
別の態様では、本開示は、概して、カートンを形成する方法を対象とする。該方法は、カートンブランクを得ることと、インサートブランクを得ることと、カートンブランクに対してインサートブランクを位置決めすることと、インサートブランクをカートンブランクに取り付けることと、取り付けられたインサートブランクとカートンブランクをカートンに形成することとを含む。カートンブランクは、トップパネルと該トップパネルに折り曲げ可能に接続されるトップ端部フラップとを備える。インサートブランクは、中央パネルと該中央パネルに折り曲げ可能に接続される補強端部フラップとを備える。インサートブランクがカートンブランクに対して位置決めされると、中央パネルはトップパネルの少なくとも一部に重なり、補強フラップはトップ端部フラップの少なくとも一部に重なる。
【０００９】
当業者は、以下に列挙した図面を参照して実施形態の以下の詳細な説明を読むことにより、上述の利点並びに種々のさらなる実施形態の他の利点及び利益を理解するであろう。
【００１０】
一般的慣行に従い、後述する図面の種々の特徴は、必ずしも一律の縮尺で描かれていない。図面における種々の特徴及び要素の寸法は、本開示の実施形態をより明確に示すために拡大又は縮小されている場合がある。図面の全体を通して対応する部分は対応する参照符号で示されている。
【図面の簡単な説明】
【００１１】
【図１】本開示の一態様によるカートンの形成に用いられるカートンブランクの外側平面図である。
【図２】カートンの補強インサートの形成に用いられるインサートブランクの平面図である。
【図３】カートンブランクに重ねられたインサートブランクの平面図である。
【図４】部分的に組み立てられた構成のカートンを示す斜視図である。
【図５】部分的に組み立てられた構成のカートンの内部を示す斜視図である。
【図６】組み立て済みのカートンを示す斜視図である。
【図７】開放構成のカートの斜視図である。
【図８】開放構成のカートンの斜視図である。
【発明を実施するための形態】
【００１２】
本開示は、概して、容器、瓶、缶等の物品を収容するカートンに関する。物品は、例えば、食品及び飲料製品を包装するために使用できる。物品は、特定の食品又は飲料品を包装するのに適した組成の素材から作ることができ、該素材にはアルミニウム及び／あるいは他の金属、ガラス、ＰＥＴ、ＬＤＰＥ、ＬＬＤＰＥ、ＨＤＰＥ、ＰＰ、ＰＳ、ＰＶＣ、ＥＶＯＨ、及びナイロン等のプラスチックなど、又はこれらの任意の組み合わせを含むが、これらに限定されない。
【００１３】
本開示によるカートンは、いかなる形状の物品に対しても適用できる。本開示の範囲を限定する目的のためでなく、説明目的のために、以下の詳細な説明では、カートンの実施形態内に配置される飲料容器（例えば、ガラス飲料瓶）について説明する。本明細書において、「下部」、「ボトム」、「上部」、及び「トップ」という用語は、完全に組み立てられ、直立したカートンに関し決定される向きを示す。
【００１４】
図１は、本開示の例示的な実施形態によるカートン５（図６乃至図８）の形成に用いられて、参照符号３で全体的に示されるブランクの外側１の平面図である。カートン５は、容器Ｃ（図７及び図８）等の複数の物品の収容に用いることができる。カートン５は、容器Ｃへのアクセスを可能にするようにカートンに形成されて、参照符号７（図６乃至図８）で全体的に示されるディスペンサーを有する。図示された実施形態では、カートン５は、２０個の容器Ｃを４×５の配列の単一層で収容するようなサイズであるが、カートン５は、異なる容量や同じ容量の容器を単一層以上、及び／又は異なる行／列の配列（例えば、１×６、３×６、２×６×２、３×４、３×５、２×９、２×６、３×４等）で保持するようなサイズとされ、形成されることが理解される。図示された実施形態では、カートン５は、該カートンの第１の端部５１において該カートンを把持して運搬するための、参照符号１１で全体的に示される第１のハンドルと、該カートンの第２の端部５３において該カートンを把持して運搬するための、参照符号１１１で全体的に示される第２のハンドルとを含む（図８）。後述でより詳細に述べるが、ハンドル１１、１１１は、ブランク３の種々の特性機能部から形成される。
【００１５】
カートンブランク３は、長手方向軸Ｌ１及び横方向軸Ｌ２を有する。図示された実施形態では、ブランク３は、第１の横方向折り線２１で第１のサイドパネル２０と折り曲げ可能に接続されるトップパネル１０を備える。ボトムパネル３０が、第２の横方向折り線３１で第１のサイドパネル２０と折り曲げ可能に接続される。第２のサイドパネル４０が、第３の横方向折り線４１でボトムパネル３０に折り曲げ可能に接続される。図示された実施形態では、ブランク３は、第４の横方向折り線５２でトップパネル１０に折り曲げ可能に接続される接着フラップ５０を含む。
【００１６】
トップパネル１０は、第１のトップ端部フラップ１２及び第２のトップ端部フラップ１４と折り曲げ可能に接続される。第１のサイドパネル２０は、第１のサイド端部フラップ２２及び第２のサイド端部フラップ２４と折り曲げ可能に接続される。ボトムパネル３０は、第１のボトム端部フラップ３２及び第２のボトム端部フラップ３４と折り曲げ可能に接続される。第２のサイドパネル４０は、第１のサイド端部フラップ４２及び第２のサイド端部フラップ４４と折り曲げ可能に接続される。カートン５が組み立てられると、トップ端部フラップ１２と、ボトム端部フラップ３２と、サイド端部フラップ２２及び４２がカートンの第１の端部５１を閉じて、トップ端部フラップ１４と、ボトム端部フラップ３４と、サイド端部フラップ２４及び４４がカートンの第２の端部５３を閉じる（図６）。本開示の代替的な実施形態によれば、カートン５の端部５１、５３を少なくとも部分的に閉じるために異なるフラップの構成を用いることができる。
【００１７】
トップ端部フラップ１２と、ボトム端部フラップ３２と、サイド端部フラップ２２及び４２は、ブランク３の第１の周縁領域に沿って延在し、ブランクの長さに沿って延びる第１の長手方向折り線６２で折り曲げ可能に接続される。トップ端部フラップ１４と、ボトム端部フラップ３４と、サイド端部フラップ２４及び４４は、ブランク３の第２の周縁領域に沿って延在し、ブランクの長さに沿って延びる第２の長手方向折り線６４で折り曲げ可能に接続される。長手方向折り線６２、６４は、例えば、実質的に直線状であってもよく、又はブランクの厚さ若しくは他の因子を考慮に入れて１つ又は複数の場所でオフセットしていてもよい。
【００１８】
ディスペンサー７は、トップパネル１０に形成されるディスペンサーパネル８７を含む。ディスペンサーパネル８７は、カートン５のディスペンサー開口部２７１（図８）を形成するように、概して、８９で示されている引き裂き線に沿ってカートンから分離可能である。ディスペンサー７は、トップパネル１０に、例えば楕円形の引き裂き線９１でカートンから分離可能であるフィンガーパネル９２を含み得る。図示の実施形態では、引き裂き線８９は、トップパネル１０において、フィンガーパネル９２の一方の側から横方向Ｌ２に延在する第１の部分９３と、フィンガーパネルの反対側から横方向に延在する第２の部分９５を含む。引き裂き線８９は、トップパネル１０の幅にわたって折り線２１、５２間に延在する第３の部分９７及びトップパネルの幅にわたって折り線２１、５２間に延在する第４の部分９９を有する。図示の実施形態では、引き裂き線８９の第３の部分９７及び第４の部分９９は、引き裂き線の第１の部分９３及び第２の部分９５のそれぞれと交差する。図１に示されているように、引き裂き線８９の第３の部分９７及び第４の部分９９は、長手方向Ｌ１に延在する部分と、長手方向軸Ｌ１に対して斜めの部分と、湾曲部分とを含む。引き裂き線の第３の部分９７及び第４の部分９９、又は他の部分は、本開示の範囲から逸脱することなく、他の形状、配置、及び位置決めであってもよい。図示の実施形態では、引き裂き線８９の第１の部分９３及び第３の部分９７が交差して第１の概ねＴ字形の引き裂き線を形成し、第２の部分９５及び第４の部分９９が交差して第２の概ねＴ字形の引き裂き線を形成する。
【００１９】
図示の実施形態では、引き裂き線８９は、ディスペンサーパネル８７を第１の部分１０２及び第２の部分１０４に分ける。ディスペンサーパネル８７の第１の部分１０２及び第２の部分１０４は、引き裂き線８９を引き裂き、横方向折り線２１の一部に関して第１の部分１０２を上方へ折り曲げ、横方向折り線５２の一部に関して第２の部分１０４を上方へ折り曲げることによって開かれる。ディスペンサー７は、カートン５において、本開示の範囲から逸脱することなく、他のサイズ、形状、及び／又は位置付けであってもよい。例えば、第３の部分及び第４の部分は、トップパネル１０の一部のみにわたって延在することもでき、その場合、部分１０２、１０４の一方又は両方が、折り線２１、５２と同一線上にないトップパネル１０の折り線でトップパネル１０に接続される。さらに、本開示の範囲から逸脱することなく、ディスペンサー７をカートン５から除いてもよい。
【００２０】
図１に示されているように、カートン５の第１のハンドル１１を形成する特性機能部は、トップパネル端部フラップ１２に形成されてハンドル折り線１３３でトップパネル端部フラップに折り曲げ可能に取り付けられる細長いハンドルフラップ１３１を備える。図示の実施形態では、ハンドル１１の特性機能部は、折り線１３３から延在する２つの斜め切断線１３６、１３８を備える。ハンドル１１の特性機能部は、端部フラップ２２、４２のそれぞれの上側部分１３９、１４０の下に湾曲した切り抜き部１３５、１３７をそれぞれ備え、これらは、カートンにハンドル開口部を形成するようにハンドルを作動させるときに、細長いハンドルフラップ１３１が内方に折れ曲がることを可能にする。ハンドルフラップを押して、それぞれの上側部分１３９、１４０の下の湾曲した切り抜き部１３５、１３７にハンドルフラップを折り込んで、カートン５にハンドル開口部を形成することによりハンドル１１が作動されるために、ブランク３における細長いハンドルフラップ１３１は形成されて位置決めされている。開口部は、カートン５の把持中にユーザーの指を挿入するための形状になっている。ハンドル１１は、本開示の範囲から逸脱することなく、カートン５において他の形状及び位置付けであってもよい。
【００２１】
図示の実施形態では、第２のハンドル１１１は、第１のハンドル１１を形成する特性機能部と実質的に同様の特性機能部から形成される。本開示から逸脱することなく、第２のハンドル１１１が第１のハンドルとは異なる特性機能部を有していてもよい。さらに、本開示から逸脱することなく、第２のハンドル１１１を省いてもよい。
【００２２】
図２は、カートン５で用いるための補強インサート２０５（図５）の形成に用いられるインサートブランク２０３を示している。図示の実施形態では、インサートブランク２０３は、中央パネル２０６と、中央パネル２０６の両端部に中央パネルとそれぞれ折り曲げ可能に接続される２つの端部フラップ２１２、２１４とを備える。第１の弱化形態領域２１３が、第１の端部フラップ２１２とインサートブランク２０３の第１の端部で接続する。第２の弱化形態領域２１５が、第２の端部フラップ２１４とインサートブランク２０３の第２の端部で接続する。図示の実施形態では、弱化形態領域２１３、２１５はそれぞれ、３つの細長い開口部２１６、２１８の間に延在する３本の平行な折り線を含む。各端部フラップ２１２、２１４は、各弱化形態領域２１３、２１５で中央パネル２０６に対してそれぞれ独立して折り曲げ可能である。弱化領域２１３、２１５は、本開示の範囲から逸脱することなく、他の形状、配置、及び位置決めであってもよい（例えば、単一の折り線を含んでいてもよい）。各端部フラップ２１２、２１４は、インサートブランク２０３の各端縁部に２つのノッチ２２１、２２３を含む。
【００２３】
中央パネル２０６は、中央パネルの中央に細長い開口部２２８を備える。細長い開口２２８は、カートンブランク３のフィンガーパネル９２よりも大きい形状にされる。中央パネル２０６には、トップパネル１０の引き裂き線８９に、概して、対応する引き裂き線２３１が設けられる。中央パネル２０６は、引き裂き線２３１で第１のフラップ２３４及び第２のフラップ２３６にそれぞれ分離可能である。各フラップ２３４、２３６は、フラップの縁部に対して斜めである折り線２３７、２３９でフラップにそれぞれ折り曲げ可能に接続される２つのコーナー又は保持部２４０、２４２を有する。図示の実施形態では、引き裂き線２３１は、細長い開口部２２８の両端部から延在する第１の部分２５１及び第２の部分２５３を含む。引き裂き線は、第１の部分２５１に対して、概して、垂直な第３の部分２５５と、第２の部分２５３に対して、概して、垂直な第４の部分２５７とを備える。引き裂き線２３１の第３の部分２５５及び第１の部分２５１は、インサートブランク２０３において第１の概ねＴ字形の引き裂き線を形成し、第４の部分２５７及び第２の部分２５３は、インサートブランクにおいて第２の概ねＴ字形の引き裂き線を形成する。インサートブランク２０３の引き裂き線２３１及び他の特性機能部は、本開示から逸脱することなく、他の形状及び配置であってもよい。
【００２４】
図３に示されているように、カートン５は、最初にカートンブランク３のトップパネル１０にインサートブランク２０３を接着することによって組み立てられる。インサートブランク２０３は、細長い開口部２２８がトップパネルのフィンガーパネル９２と同心状であるようにカートンブランク３上に位置決めされる。弱化形態領域２１３、２１５は、概して、長手方向折り線６２、６４に重なる。インサートブランクの端部フラップ２１２、２１４は、カートンブランクの端部フラップ１２、１４の一部と、概して、向かい合わせに接触する。インサートブランク２０３の端部フラップ２１２、２１４の各縁部におけるノッチ２２１、２２３は、概して、カートンブランク３の端部フラップ１２、１４の切れ目１３６、１３８に枠を与える。インサートブランク２０３の引き裂き線２３１は、概して、カートンブランク３の引き裂き線８９に対応して重なるように位置決めされる。インサートブランク２０３の第２のフラップ２３６及び第１のフラップ２３４は、ディスペンサーパネル８７の第１の部分１０２及び第２の部分１０４と概ね向かい合わせに接触してこれらに接着されることで、第１のディスペンサーフラップ２６０及び第２のディスペンサーフラップ２６２を形成する。
【００２５】
例示的な実施形態によれば、インサートブランク２０３付きのカートンブランク３は、折り線２１、３１、４１、及び５２に沿って折り曲げ、接着フラップ５０を第２のサイドパネル４０に接着してスリーブ１４１を形成することで、カートン５にさらに組み立てされ得る（図４）。カートンブランク３は、本開示の範囲から逸脱することなく、複数のトップパネル、複数のボトムパネル、複数のサイドパネル、又はそれらの組み合わせを有するように他の構成であってもよい。
【００２６】
図示の実施形態では、カートン５の第１の端部５１は、サイド端部フラップ２２、４２、トップ端部フラップ１２、及びボトム端部フラップ３２をそれぞれ重ね合わせて接着することによって閉じられる。カートン５の第２の端部５３は、サイド端部フラップ２４、４４、トップ端部フラップ１４、及びボトム端部フラップ３４をそれぞれ重ね合わせて接着することによって閉じられる。トップ端部フラップ１２、１４、上側部分１３９、１４０、及び補強端部フラップ２１２、２１４は、補強端部フラップ２１２、２１４が各トップ端部フラップ１２、１４の内面と向かい合わせに接触すると共に各サイド端部フラップ２２、４２及びサイド端部フラップ２４、４４の外面と向かい合わせに接触して、各ハンドル１１、１１１の上方に３つの材料の層を提供する。ブランク３がスリーブ１４１に形成されると、第１の端部５１からカートン５に容器Ｃを詰め込むことができ、続いてサイド端部フラップ２２、４２、トップ端部フラップ１２、及びボトム端部フラップ３２を重ね合わせて糊付けすることによって第１の端部を閉じることができ、続いてサイド端部フラップ２４、４４、トップ端部フラップ１４、及びボトム端部フラップ３４を重ね合わせて糊付けすることによって第２の端部を閉じることができる。組み立てられたカートンは、図６に示される。本開示の範囲から逸脱することなく、代替的な組み立てステップ、詰め込みステップ、及び閉鎖ステップを用いてもよい。
【００２７】
細長いハンドルフラップ１３１を押してカートン５の閉じた第１の端部５１にハンドル開口部を作ることによって、ハンドル１１を用いてカートン５を把持することができる。同様に、閉じられた第２の端部５３でハンドル１１１を用いてカートン５を把持することができる。補強インサートの端部フラップ２１２、２１４は、カートン５をハンドルで持ち上げるときの引き裂き又は他の破損を防止するために、カートンの強度及び剛性を高めることによってカートンを補強するように、各ハンドル１１、１１１の上方に追加の材料の層を提供する。カートン５のハンドルが１つであるか又は全く無くてもよいこと、又はハンドル１１、１１１が本開示から逸脱することなく他の形状、配置、及び／又は位置付けであってもよいことが理解される。図示の実施形態では、カートン５が閉じられてカートンの把持のためにハンドル１１が作動されると（図７）、各サイドパネル端部フラップ２２、４２の上側部分１３９、１４０の内面と対向して向かい合わせの関係になるようにハンドルフラップ１３１を折り線１３３に沿って内方に折り曲げることができる。ハンドル１１、１１１の他の開放構成が設けられてもよい。
【００２８】
図６乃至図８に示されているように、カートン５は、カートンのトップパネル１０にディスペンサー開口部２７１を作るようにディスペンサー７を作動させることによって開くことができる。ディスペンサー７は、引き裂き線９１でカートンを押して引き裂くことでフィンガーパネル９２を最初に除去することで開かれる。図７に示されているように、ディスペンサー７は、引き裂き線８９に沿って引き裂いて第１のディスペンサーフラップ２６０を上方に折り曲げることによってさらに開かれる。図示の実施形態では、第１の部分１０２は、補強インサート２０５の第２のフラップ２３６に接着され、第２のフラップ２３６がディスペンサーフラップ２６０の材料の内側層を形成し、第１の部分１０２がディスペンサーフラップ２６０の材料の外側層を形成する。第２の部分１０４は、補強インサート２０５の第１のフラップ２３４に接着され、第１のフラップ２３４がディスペンサーフラップ２６２の材料の内側層を形成し、第２の部分１０４がディスペンサーフラップ２６２の材料の外側層を形成する。図７及び図８に示されているように、第１のフラップ２３４及び第２のフラップ２３６のコーナー２４０、２４２は、ディスペンサーパネル８７の第１の部分１０２及び第２の部分１０４の各縁部を越えて外方に延在する。トップパネル１０の引き裂き線８９の形状から、ディスペンサー開口部２７１の両端部に２つの保持タブ２７５が得られる。折り線２３７、２３９は、コーナー２４０、２４２が保持タブ２７５を通るときに、コーナー２４０、２４２がフラップ２３４、２３６の残りの部分に対して曲がることを可能にする。引き裂き線８９は、開口部２７１においてトップパネル１０のトップ縁部２７７をさらに形成する。引き裂き線２３１は、開口部２７１において中央パネル２０６の内側縁部２７９を形成する。ディスペンサー７の他の開放構成が設けられてもよい。
【００２９】
図示の実施形態では、補強インサート２０５のコーナー２４０、２４２が保持タブ２７５の下に入れられて第１のディスペンサーフラップ２６０及び第２のディスペンサーフラップ２６２を下方に折り曲げる位置に保持するようにするため、第１及び第２のディスペンサーフラップを下方へ折り曲げることによって、ディスペンサーパネル８７を閉じることができる。ディスペンサー７の他の閉鎖構成及び保持機構が設けられてもよい。
【００３０】
本開示によるブランクは、例えば、塗装された厚紙や、これと同様の材料から形成される。例えば、ブランクの内側及び／又は外側を粘土性（クレー）コーティングによりコーティングすることができる。そして、粘土性（クレー）コーティングには、生産物、宣伝、価格コード、及びその他の情報やイメージが印刷されてもよい。ブランクに印刷されている情報を保護するために、ブランクをワニスでコーティングすることもできる。ブランクはまた、ブランクの片面又は両面を、例えば防湿層でコーティングされてもよい。上述の実施形態に応じて、ブランクは、通常の紙よりも重くて硬いような厚さのボール紙で構成され得る。ブランクはまた、ボール紙、硬質紙等の他の材料、又はカートンが少なくとも、概して、上記で述べられた機能を可能とするのに適した特性を有する他の材料で作成することもできる。ブランクはまた、選択されたパネルやパネルセクションにおいて、１つ又は複数のシート状材料で積層又はコーティングすることもできる。
【００３１】
本開示の上述の実施形態に応じて、折り線は、必ずしも直線状ではなく、それに沿って容易に折り曲げやすい弱化した形状であっても、十分な線状とすることができる。本開示の範囲を狭めるためではないが、より詳細には、折り線は、所望の弱化線に沿って材料に圧潰部分を作る鈍いスコアリングナイフ等で形成される線等のスコア線、所望の脆弱線に沿って材料に部分的に延在する切れ目、及び／若しくは所望の弱化線に沿って材料に部分的に延在し、及び／若しくは材料を貫通する一連の切れ目、並びにこれらの機能の種々の組み合わせを含む。
【００３２】
一例として、引き裂き線は、所望の弱化線に沿って材料に部分的に延在するスリット、並びに／又は所望の弱化線に沿って材料に部分的に延在する一連の離間したスリット及び／若しくは材料を貫通する一連の離間したスリット、又はこれらの機能の種々の組み合わせを含み得る。より具体的な例としては、１つのタイプの引き裂き線は、引き裂き線を挟んで材料を通常は一時的に接続するために刻み目（例えば、ブリッジにやや似た材料の小片）が間に画定されるように隣接するスリットをわずかに離間させた、材料を貫通する一連の離間したスリットの形態である。刻み目は、引き裂き時に引き裂き線に沿って破断される。刻み目は通常、引き裂き線において比較的わずかな割合を占めるものであり、代替的に、引き裂き線が連続した切れ線であるように刻み目を引き裂き線から除いたり、引き裂き線上で破っておくことができる。すなわち、引き裂き線のそれぞれを連続したスリット等で置き換えることは、本開示の範囲内にある。例えば、本開示から逸脱することなく、切れ線は、連続したスリットであってもよく、又はスリットよりも広いものであってもよい。
【００３３】
上記実施形態は、カートンの実施形態の組み立て中に糊付けによって互いに接着される１つ又は複数のパネルを有するものとして説明されている。「糊付け」という用語は、カートンパネルを所定位置に固定するのに一般的に用いられるあらゆる種類の接着方法を包含することが意図される。
【００３４】
本開示の上記説明は、種々の実施形態を例示及び説明するものである。本開示の範囲から逸脱することなく、種々の変更を上記構成内でなし得るので、上記説明に含まれるか又は添付図面に示されているすべての事項が、限定的な意味ではなく例示として解釈されることが意図される。さらに、本開示の範囲は、特許請求の範囲内に含まれる上述の実施形態の種々の変更形態、組み合わせ、変形形態等をカバーする。さらに、本開示は、本開示の選択された実施形態のみを図示及び説明しているが、本開示は、種々の他の組み合わせ、変更形態、及び環境で用いることができ、本明細書で述べられているような発明概念の範囲内の変形若しくは変更、上記教示と同等の変形若しくは変更及び／又は関連技術分野の技術若しくは知識内にある変形若しくは変更を行うことができる。さらに、各実施形態の一定の機能及び特徴を、選択的に交換して、本開示の他の説明された実施形態又は説明されていない実施形態に適用することができる。
【図１】
2012500754.tif 000003
【図２】
2012500754.tif 000004
【図３】
2012500754.tif 000005
【図４】
2012500754.tif 000006
【図５】
2012500754.tif 000007
【図６】
2012500754.tif 000008
【図７】
2012500754.tif 000009
【図８】
2012500754.tif 000010
【国際調査報告】
2012500754.tif 000011
2012500754.tif 000012